(57)【要約】 【課題】簡単な構成で容易な組立形成を提供するスピーカ装置を提供する。【解決手段】振動板を振動させるボイスコイルを備えたスピーカユニット３００を保持するスピーカ保持部２１５、および、スピーカユニット３００へ供給する電気信号を制御するネットワーク部品４００を保持する部品保持部２１６、を備えた板部２１１と、一端にネットワーク部品４００が接続し他端にスピーカユニット３００のボイスコイルが接続する第１の導電部材２３１と、をインサート成形にてスピーカ用フレーム２１０を一体成形している。スピーカ保持部２１５に保持するスピーカユニット３００のボイスコイルと、部品保持部２１６に保持するネットワーク部品４００とを、一体に設けた第１の導電部材２３１に接続するのみで互いが接続する状態となり、組立作業性が容易に向上する。【選択図】 図１
2007028009.tif 000002
【特許請求の範囲】
【請求項１】
振動板を振動させるボイスコイルを備えたスピーカユニットを保持するスピーカ保持部、および、前記スピーカユニットへ供給する電気信号を制御するネットワーク部品を保持する部品保持部、を備えた本体部と、
一端が前記ネットワーク部品に接続され他端が前記スピーカユニットのボイスコイルに接続される導電部材と、を具備し、
前記本体部と前記導電部材とが一体成形された
ことを特徴としたスピーカ用フレーム。
【請求項２】
請求項１に記載のスピーカ用フレームであって、
一端が前記ネットワーク部品に接続され他端が前記電気信号を供給する一対の供給線の一方が接続され前記本体部と一体形成される第２の導電部材と、
一端が前記ボイスコイルに接続され他端が前記電気信号を供給する一対の供給線の他方が接続され前記本体部と一体形成される第３の導電部材と、を具備した
ことを特徴としたスピーカ用フレーム。
【請求項３】
請求項１または請求項２に記載のスピーカ用フレームであって、
前記本体部は、樹脂材料にて一体形成された
ことを特徴としたスピーカ用フレーム。
【請求項４】
請求項３に記載のスピーカ用フレームであって、
前記導電部材は、前記本体部の一体形成時にインサート成形により一体化された
ことを特徴としたスピーカ用フレーム。
【請求項５】
請求項４に記載のスピーカ用フレームであって、
前記導電部材は、金属板にて両端部が同方向にそれぞれ折曲形成され、前記両端部が前記本体部の表面に臨む状態にインサート成形された
ことを特徴としたスピーカ用フレーム。
【請求項６】
請求項１ないし請求項５のいずれかに記載のスピーカ用フレームであって、
前記本体部は、前記振動板の外周縁が取り付けられる開口縁を有し、
前記スピーカ保持部は、前記ボイスコイルが位置する磁気ギャップを形成する磁気回路部を保持して前記スピーカユニットを保持する
ことを特徴としたスピーカ用フレーム。
【請求項７】
請求項１ないし請求項６のいずれかに記載のスピーカ用フレームであって、
前記本体部は、一面側に前記スピーカ保持部、前記部品保持部および前記導電部材が臨む状態に略板状に形成された
ことを特徴としたスピーカ用フレーム。
【請求項８】
請求項１ないし請求項７のいずれかに記載のスピーカ用フレームと、
前記スピーカ保持部に保持された前記スピーカユニットおよび前記部品保持部に保持された前記ネットワーク部品とともに前記スピーカ保持部、前記部品保持部および前記導電部材を覆って前記スピーカ用フレームが取り付けられる覆い体と、
を具備したことを特徴としたスピーカキャビネット。
【請求項９】
請求項８に記載のスピーカキャビネットと、
このスピーカキャビネットに保持され前記導電部材に前記ボイスコイルが接続されたスピーカユニットと、
前記スピーカキャビネットに保持され前記導電部材に接続されたネットワーク部品と、
を具備したことを特徴としたスピーカ装置。
【請求項１０】
請求項１ないし請求項７のいずれかに記載のスピーカ用フレームと、
前記スピーカ保持部に保持され前記導電部材に前記ボイスコイルが接続されたスピーカユニットと、
前記部品保持部に保持され前記導電部材に接続されたネットワーク部品と、
を具備したことを特徴としたスピーカ装置。
【発明の詳細な説明】
【技術分野】
【０００１】
本発明は、スピーカユニットおよびネットワーク部品を保持するスピーカ用フレーム、スピーカキャビネットおよびスピーカ装置に関する。
【背景技術】
【０００２】
従来、スピーカ装置として、スピーカユニットへ供給して音声出力させる電気信号の信号成分を制御するコイルやコンデンサあるいは抵抗、電気回路などのネットワーク部品が設けられた構成が知られている（例えば、特許文献１ないし特許文献６参照）。
【０００３】
特許文献１に記載のものは、インダクタンスコイルとコンデンサとを組み合わせたフィルタ回路を構成するデバイディングネットワークにおけるネットワークコイルを、スピーカユニットにおける振動板を振動させる駆動部のカバーの外周面に設けた周溝に巻装し、別部品としてスピーカボックスの端子板などに取り付けることによる不都合を防止している。しかしながら、このような構成では、ネットワークコイルを巻装した周溝を有するカバーが必要であるとともに、ネットワークコイルを従来通り接続してフィルタ回路を構成させる作業が必要となり、組立作業性の向上が望めず、特に小型のスピーカユニットでは作業が煩雑となるおそれがある。
【０００４】
特許文献２に記載のものは、スピーカユニットのスピーカフレームの外部または内部に、ネットワーク部品を取り付け、必要に応じて保護カバーを設け、ネットワーク部品を搭載することによる安価で高性能なスピーカユニットを提供している。しかしながら、このような構成では、スピーカフレームに取り付けたネットワーク部品を、引出線を端子に半田付けするなどの電気的に接続する構成や作業が必要で、組立作業性の向上が望めず、特に小型のスピーカユニットでは作業が煩雑となるおそれがある。
【０００５】
特許文献３に記載のものは、スピーカユニットのフレーム部に、音声再生周波数を制御するためのネットワーク素子の形状に対応し、ネットワーク素子を収容かつ位置決めする凹所を階段状に設けている。しかしながら、このような構成では、フレーム部に取り付けたネットワーク素子を電気的に接続する作業が必要となり、組立作業性の向上が望めず、特に小型のスピーカ装置では作業が煩雑となるおそれがある。
【０００６】
特許文献４に記載のものは、異なる周波数帯域を分担して受け持つ複数のスピーカユニットをバッフル板に固定する薄型のマルチウェイスピーカ装置で、入力音声信号を帯域分割して各スピーカユニットに対応する周波数帯域の音声信号として出力するクロスオーバネットワーク回路を、前面からバッフル板に固定している。しかしながら、このような構成では、取り付けたクロスオーバネットワーク回路と各スピーカユニットとの電気的な接続作業が必要となり、組立作業性の向上が望めず、特に小型のスピーカ装置では作業が煩雑となるおそれがある。
【０００７】
特許文献５に記載のものは、樹脂フレームにネットワーク部品を嵌着する把持片を一体成形、あるいは金属フレームにネットワーク部品を嵌着する把持片を板金加工により形成している。そして、把持片で樹脂フレームあるいは金属フレームに固定したネットワーク部品を、樹脂フレームあるいは金属フレームに設けた端子板に配線している。しかしながら、このような構成では、固定したネットワーク部品を電気的に端子板に接続する作業が必要となり、組立作業性の向上が望めず、特に小型のスピーカ装置では作業が煩雑となるおそれがある。
【０００８】
特許文献６に記載のものは、スピーカキャビネットの音響閉空間から隔離してネットワーク収納箱の内部にネットワーク部品を収容するとともに、制振材料でキャビネットからの振動を絶縁し、ネットワーク部品の振動を防止し、再生音質の向上を図っている。しかしながら、このような構成では、音響閉空間に望むトウィータやスコーカ、ウーハーなどと、別途区画形成したネットワーク収納箱内のネットワーク部品との電気的な接続作業が煩雑となる。
【０００９】
【特許文献１】特開２００１−１１９７８８号公報
【特許文献２】特開２００２−１４２２８４号公報
【特許文献３】実開平４−１９０９８号公報
【特許文献４】特開２００４−２３５１２号公報
【特許文献５】特開２０００−１５２３９５号公報
【特許文献６】特開平７−３０９８７号公報
【発明の開示】
【発明が解決しようとする課題】
【００１０】
上述したように、特許文献１ないし特許文献６に記載のような従来のネットワーク部品を備えたスピーカ装置では、ネットワーク部品を電気的に接続する組立作業性が煩雑となる問題点が一例として挙げられる。
【００１１】
本発明は、このような点などに鑑みて、簡単な構成で容易な組立形成を提供するスピーカ用フレーム、スピーカキャビネットおよびスピーカ装置を提供することを１つの目的とする。
【課題を解決するための手段】
【００１２】
請求項１に記載の発明は、振動板を振動させるボイスコイルを備えたスピーカユニットを保持するスピーカ保持部、および、前記スピーカユニットへ供給する電気信号を制御するネットワーク部品を保持する部品保持部、を備えた本体部と、一端が前記ネットワーク部品に接続され他端が前記スピーカユニットのボイスコイルに接続される導電部材と、を具備し、前記本体部と前記導電部材とが一体成形されたことを特徴としたスピーカ用フレームである。
【００１３】
請求項８に記載の発明は、請求項１ないし請求項７のいずれかに記載のスピーカ用フレームと、前記スピーカ保持部に保持された前記スピーカユニットおよび前記部品保持部に保持された前記ネットワーク部品とともに前記スピーカ保持部、前記部品保持部および前記導電部材を覆って前記スピーカ用フレームが取り付けられる覆い体と、を具備したことを特徴としたスピーカキャビネットである。
【００１４】
請求項９に記載の発明は、請求項８に記載のスピーカキャビネットと、このスピーカキャビネットに保持され前記導電部材に前記ボイスコイルが接続されたスピーカユニットと、前記スピーカキャビネットに保持され前記導電部材に接続されたネットワーク部品と、を具備したことを特徴としたスピーカ装置である。
【００１５】
請求項１０に記載の発明は、請求項１ないし請求項７のいずれかに記載のスピーカ用フレームと、前記スピーカ保持部に保持され前記導電部材に前記ボイスコイルが接続されたスピーカユニットと、前記部品保持部に保持され前記導電部材に接続されたネットワーク部品と、を具備したことを特徴としたスピーカ装置である。
【発明を実施するための最良の形態】
【００１６】
以下、本発明の実施の一形態を図面に基づいて説明する。なお、本実施の形態では、スピーカ用フレームとして、樹脂材料にて導電部材をインサート成形して形成する構成を例示して説明するが、例えば導電部材を挾持する状態に一対のシート状部材を接合して一体的に形成するなど、インサート成形に限られない。また、ネットワーク部品として、コンデンサを例示して説明するが、コイルや抵抗、さらには複数の電気部品にて構成された回路なども対象とすることができる。図１は、スピーカ装置を示す分解斜視図である。図２は、スピーカ用フレームを示す一部を切り欠いた側面図である。図３は、振動板が取り付けられたスピーカ用フレームを示す斜視図である。図４は、ネットワーク部品が取り付けられたスピーカ用フレームを示す底面図である。
【００１７】
〔スピーカ装置の構成〕
図１において、１００はスピーカ装置で、このスピーカ装置１００は、電気的に接続される図示しない出力装置などから出力される電気信号である音声信号を放音する。ここで、出力装置としては、テレビジョン、ラジオ、音響機器、パーソナルコンピュータ、記録媒体に記録された音声信号を読み取って出力するプレーヤなどが例示できる。また、記録媒体としては、ＣＤ（Compact Disc）やＤＶＤ（Digital Versatile Disc）などの光ディスクあるいは光磁気ディスク、ＨＤ（Hard Disk）やＦＤ（Flexible Disk）などの磁気ディスク、メモリカードなどが例示できる。そして、スピーカ装置１００は、スピーカキャビネット２００と、スピーカユニット３００と、ネットワーク部品４００と、を備えている。
【００１８】
スピーカキャビネット２００は、スピーカユニット３００およびネットワーク部品４００を収容する。このスピーカキャビネット２００は、スピーカ用フレーム２１０と、覆い体２２０と、を備えている。
【００１９】
スピーカ用フレーム２１０は、図１ないし図４に示すように、例えばアクリロニトリル−ブタジエン−スチレン（ＡＢＳ；Acrylonitrile-Butadiene-Styrene）やポリブチレンテレフタレート（ＰＢＴ；Polybutylene Terephthalate）あるいはこれらの混合樹脂など、絶縁性を有し比較的に硬質の樹脂材料の射出成形にて一体形成されている。すなわち、スピーカ用フレーム２１０は、平面略長方形状の板状に形成された板部２１１を有する。この板部２１１は、一対の対角に位置する角部に、スピーカ装置１００を図示しない被取付位置に取り付けるためのねじなどの取付部材が嵌挿される取付孔２１２が貫通形成されている。また、板部２１１の略中央には、図４に示すように、略円形のスピーカ孔２１３が貫通形成されている。
【００２０】
そして、板部２１１の表面となる一面側には、図３に示すように、スピーカ孔２１３の開口縁から所定の幅寸法で一面に対して段差状となる取付段差部２１３Ａが設けられている。さらに、板部２１１の一面側には、取付段差部２１３Ａの外周側に中心軸がスピーカ孔２１３の中心軸に略同軸上となる円筒状の保護リブ部２１４が設けられている。この保護リブ部２１４の内面は、先端側に従って拡開する状態に形成されている。
【００２１】
また、板部２１１の裏面側となる他面側には、図１、図２および図４に示すように、スピーカ孔２１３の外周側に略同軸上に位置して略円筒状に突出するスピーカ保持部２１５が一体に設けられている。このスピーカ保持部２１５の基端部には、周方向に沿って複数の挿通孔２１５Ａが貫通形成されている。さらに、スピーカ保持部２１５の先端には、先端縁から内方に向けて舌片状に突出する複数の抜止部２１５Ｂが設けられている。また、板部２１１の他面側には、ネットワーク部品４００を保持する部品保持部２１６が設けられている。この部品保持部２１６は、例えばコンデンサなどの略円周状のネットワーク部品４００の径寸法と略同寸法で対向してスピーカ保持部２１５が突出方向に板状に突出する一対の保持板２１６Ａを有している。これら保持板２１６Ａ間には、図２に示すように、対向方向に沿った平面で保持板２１６Ａ間を連結し、対向方向に直行する方向でネットワーク部品４００の外周面に対向した凹円弧状に切り欠かれた支持リブ部２１６Ｂが複数略平行で保持板２１６Ａに一連に突出形成されている。そして、部品保持部２１６に隣接する位置には、図１および図４に示すように、ネットワーク部品４００の一対の端子が短絡することを防止するとともに、ネットワーク部品４００の位置決めとしても機能するリブ状の隔壁部２１６Ｃが突設されている。
【００２２】
さらに、板部２１１の他面側には、周縁に略沿い、かつ取付孔２１２の近傍では取付孔２１２の開口から略等距離となる状態に係合溝状部２１７が、板部２１１の取付孔２１２が設けられた角部以外の１つの角部近傍を除くほぼ全周に亘って、スピーカ保持部２１５、部品保持部２１６、隔壁部２１６Ｃを囲む状態に設けられている。そして、板部２１１の他面側には、この係合溝状部２１７が位置しない板部２１１の角部近傍に位置してリブ状の閉塞板２１７Ａが一体に突出形成されている。この閉塞板２１７Ａの先端縁は、凹円弧状に形成されている。
【００２３】
そして、スピーカ用フレーム２１０は、図３および図４に示すように、射出成形の際に、複数、例えば３つの第１の導電部材２３１、第２の導電部材２３２および第３の導電部材２３３がインサート成形されて一体形成されている。これら導電部材２３１〜２３３は、例えば導電性部材である金属板にて細長板状に形成されている。
【００２４】
第１の導電部材２３１は、長手板状の第１本体部２３１Ａを有している。この第１本体部２３１Ａの長手方向の一端には略垂直に折曲された第１引出線接続部２３１Ｂが形成され、第１本体部２３１Ａの長手方向の他端には同方向に折曲された第１端子接続部２３１Ｃが形成されている。第１引出線接続部２３１Ｂは略中央に電線接続孔２３１Ｄが開口成形され、第１端子接続部２３１Ｃの先端には二股状に電線接続凹部２３１Ｅが切欠形成されている。この第１の導電部材２３１は、第１引出線接続部２３１Ｂがスピーカ保持部２１５の挿通孔２１５Ａに略対向するとともに、第１端子接続部２３１Ｃが隔壁部２１６Ｃの一面側における部品保持部２１６に向けて略面する状態にインサート成形される。すなわち、第１の導電部材２３１は、第１引出線接続部２３１Ｂおよび第１端子接続部２３１Ｃが互いに対向せずそれぞれ所定の方向に面する状態に異なった方向に面する状態に折曲形成されている。
【００２５】
第２の導電部材２３２は、長手板状の第２本体部２３２Ａを有している。この第２本体部２３２Ａの長手方向の一端には略垂直に折曲された第２端子接続部２３２Ｂが形成され、第２本体部２３２Ａの長手方向の他端には同方向に折曲された第２電線接続部２３２Ｃが形成されている。これら第２端子接続部２３２Ｂおよび第２電線接続部２３２Ｃの先端にも同様に、二股状に電線接続凹部２３１Ｅが切欠形成されている。この第２の導電部材２３２は、第１の導電部材２３１と同様に、第２端子接続部２３２Ｂおよび第２電線接続部２３２Ｃが互いに対向せず異なった方向に面する状態に折曲形成され、第２端子接続部２３２Ｂが隔壁部２１６Ｃの他面側における部品保持部２１６に向けて面する状態で、かつ第２電線接続部２３２Ｃが閉塞板２１７Ａに向けて略面する状態にインサート成形される。
【００２６】
第３の導電部材２３３は、長手板状の第３本体部２３３Ａを有している。この第３本体部２３３Ａの長手方向の一端には略垂直に折曲された第３引出線接続部２３３Ｂが形成され、第３本体部２３３Ａの長手方向の他端には同方向に折曲された第３電線接続部２３３Ｃが形成されている。第３引出線接続部２３３Ｂの略中央には同様に電線接続孔２３１Ｄが開口成形され、第３電線接続部２３３Ｃの先端には同様に二股状に電線接続凹部２３１Ｅが切欠形成されている。この第３の導電部材２３３は、第１の導電部材２３１および第２の導電部材２３２と同様に、第３引出線接続部２３３Ｂおよび第３電線接続部２３３Ｃが互いに対向せずに異なった方向に面する状態に折曲形成され、第３引出線接続部２３３Ｂが第１引出線接続部２３１Ｂに対してスピーカ保持部２１５の径方向で反対側に位置してスピーカ保持部２１５の挿通孔２１５Ａに略対向するとともに、第３電線接続部２３３Ｃが閉塞板２１７Ａに向けて略面する状態にインサート成形される。
【００２７】
覆い体２２０は、図１に示すように、例えばスピーカ用フレーム２１０と同様の材質にて射出成形され、一面を開口する略箱状に形成されている。この覆い体２２０には、開口縁にスピーカ用フレーム２１０の係合溝状部２１７に係合される図示しない係止リブ部が設けられている。また、覆い体２２０には、スピーカ用フレーム２１０における係合溝状部２１７が設けられていない位置に対応してリード線挿通凹部２２１が切欠形成されている。このリード線挿通凹部２２１は、覆い体２２０の開口縁側の一部がスピーカ用フレーム２１０の閉塞板２１７Ａにて閉塞される状態に形成されている。すなわち、スピーカ用フレーム２１０の閉塞板２１７Ａおよび覆い体２２０のリード線挿通凹部２２１は、再生装置などから出力される音声信号の電気信号をスピーカ装置１００へ供給する供給線としての対をなす図示しない電線が挿通可能に開口する状態に、閉塞板２１７Ａがリード線挿通凹部２２１の一部を閉塞可能に形成されている。さらに、覆い体２２０には、開口縁に開口方向に向けて突出する複数の位置決めピン部２２２が一連に突設されている。これら位置決めピン部２２２は、スピーカ用フレーム２１０に係合溝状部２１７に近接する位置に貫通形成された取付貫通孔２１７Ｂに嵌合され、例えば接着剤にて取り付けられる。この位置決めピン部２２２の取付により、覆い体２２０は内部に図示しない回路室を区画してスピーカ用フレーム２１０に取り付けられる。なお、スピーカ用フレーム２１０の閉塞板２１７Ａおよび覆い体２２０のリード線挿通凹部２２１とにて形成される開口に挿通される電線は、一方が第２の導電部材２３２の第２電線接続部２３２Ｃに半田付けなどにより接続され、他方が第３の導電部材２３３の第３電線接続部２３３Ｃに半田付けなどにより接続される。
【００２８】
スピーカユニット３００は、図１に示すように、スピーカ用フレーム２１０のスピーカ保持部に配設される。このスピーカユニット３００は、図３に示すように、振動板３１０を備えている。この振動板３１０は、例えば表面が防触処理されたマグネシウム薄板や、チタン合金、紙パルプ、各種繊維の織布あるいは不織布のシート部材などにて略薄膜状に形成されている。この振動板３１０は、一面側に向けて拡開する略裁頭形状（コーン形状）に形成され、外周縁には拡開する側と同方向に突出する状態に断面略Ｕ字状に屈曲するエッジ部３１１を一連に設けている。このエッジ部３１１の外周縁は外方に鍔状に突出し、スピーカ用フレーム２１０の取付段差部２１３Ａに接着剤などにて取り付けられて振動板３１０をスピーカ用フレーム２１０に配設する取付鍔部３１２を有している。また、振動板３１０の略中央には、拡開する側にドーム状に突出するキャップ３１３が取り付けられている。
【００２９】
また、振動板３１０には、図示しないボイスコイルボビンが一体的に設けられている。このボイスコイルボビンは、振動板３１０の外面側の略中央に略同軸上に一体的に設けられたコイルボビンと、このコイルボビンの外周面に巻装されたボイスコイルとを備えている。このボイスコイルの導線の両端部は、スピーカ用フレーム２１０のスピーカ保持部２１５の挿通孔２１５Ａからスピーカ保持部２１５の外面側に図示しない引出線として引き出される。そして、これら引き出されたボイスコイルの引出線は、インサート成形された第１の導電部材２３１の第１引出線接続部２３１Ｂと第３の導電部材２３３の第３引出線接続部２３３Ｂとに、電線接続孔２３１Ｄ内にそれぞれ嵌挿保持され、半田付けなどによりそれぞれ接続される。
【００３０】
さらに、スピーカユニット３００は、図示しない例えば内磁型の磁気回路部を有している。この磁気回路部は、スピーカ用フレーム２１０のスピーカ保持部２１５に嵌挿され抜止部２１５Ｂに抜け止め保持され例えば接着剤などにて固定される図１に示すような円板状のプレート３２０を有している。このプレート３２０の略中央には、コイルボビンの内周側に位置し先端部がボイスコイルに対応する位置となる略円柱状の磁石が配設されている。さらに、プレート３２０の外周縁には、一連に円筒状で、先端部がボイスコイルの外周側に磁石と対向する図示しないヨークが設けられている。ボイスコイルは、このヨークと磁石との間に形成される磁気ギャップ内に介在する。なお、磁気回路部は、外磁型で構成してもよい。
【００３１】
ネットワーク部品４００は、図１に示すように、上述したように例えばコンデンサなどで、略円柱状の素子本体４０１における図示しない一対の端子が導出する軸方向の一端面が隔壁部２１６Ｃの端面に当接する状態で、かつ、隔壁部２１６Ｃの両面側に端子がそれぞれ区画される状態に引き出されて部品保持部２１６に素子本体４０１が保持され、部品保持部２１６に例えば接着剤などにて固定される。そして、ネットワーク部品４００の一方の端子は、第１の導電部材２３１の第１端子接続部２３１Ｃに、電線接続凹部２３１Ｅ内に保持されて半田付けなどにより接続される。また、ネットワーク部品４００の他方の端子は、第２の導電部材２３２の第２端子接続部２３２Ｂに、電線接続凹部２３１Ｅ内に保持されて半田付けなどにより接続される。そして、音声データの電気信号を供給する電線が接続されることで、これら電線間に、第１の導電部材２３１、第２の導電部材２３２および第３の導電部材２３３を介してスピーカユニット３００のボイスコイルとネットワーク部品４００との直列回路が接続される状態となる。
【００３２】
〔スピーカ装置の動作〕
次に、上記したスピーカ装置１００の動作について、スピーカ装置１００を組立形成する製造動作について説明する。
【００３３】
あらかじめ第１の導電部材２３１、第２の導電部材２３２および第３の導電部材２３３がインサート成形にて射出成形されたスピーカ用フレーム２１０に、スピーカユニット３００を組み付ける。すなわち、あらかじめボイスコイルボビンが設けられた振動板３１０の取付鍔部３１２をスピーカ用フレーム２１０の取付段差部２１３Ａに接着剤などにて取り付けるとともに、磁気回路部をスピーカ保持部２１５に配設し、スピーカユニット３００をスピーカ用フレーム２１０に組み付け形成する。すなわち、スピーカ用フレーム２１０は、スピーカユニット３００が取り付けられるいわゆるキャビネットのバッフル板として機能するとともに、スピーカユニット３００のいわゆるフレームとしても機能することとなる。このスピーカユニット３００の組み付け形成の際に、ボイスコイルの引出線を、スピーカ保持部２１５の挿通孔２１５Ａからスピーカ保持部２１５の外面側に引き出しておく。
【００３４】
そして、ボイスコイルの引出線を、スピーカ用フレーム２１０の第１の導電部材２３１の第１引出線接続部２３１Ｂと第３の導電部材２３３の第３引出線接続部２３３Ｂとに、電線接続孔２３１Ｄ内にそれぞれ嵌挿保持させ、半田付けによりそれぞれ接続する。さらに、スピーカ用フレーム２１０の部品保持部２１６に、ネットワーク部品４００の素子本体４０１を保持して接着剤などにて固定するとともに、ネットワーク部品４００の一方の端子を第１の導電部材２３１の第１端子接続部２３１Ｃの電線接続凹部２３１Ｅ内に保持して半田付けにより接続し、他方の端子を第２の導電部材２３２の第２端子接続部２３２Ｂの電線接続凹部２３１Ｅ内に保持して半田付けにより接続し、スピーカユニット３００のボイスコイルとネットワーク部品４００との直列回路を構成させる。
【００３５】
さらに、再生装置などから出力される音声データの電気信号を供給する電線の一方を第２の導電部材２３２の第２電線接続部２３２Ｃの電線接続凹部２３１Ｅ内に保持して半田付けにより接続するとともに、電線の他方を第３の導電部材２３３の第３電線接続部２３３Ｃの電線接続凹部２３１Ｅ内に保持して半田付けにより接続する。この後、覆い体２２０の係止リブ部をスピーカ用フレーム２１０の係合溝状部２１７に係合させるとともに、覆い体２２０の位置決めピン部２２２をスピーカ用フレーム２１０の取付貫通孔２１７Ｂに嵌挿して接着剤にて取り付け、スピーカ用フレーム２１０の他面側を覆う状態に覆い体２２０を一体的に取り付けてスピーカ装置１００が組立形成される。
【００３６】
〔実施の形態の作用効果〕
上述したように、上記実施の形態では、振動板３１０を振動させるボイスコイルを備えたスピーカユニット３００を保持するスピーカ保持部２１５、および、スピーカユニット３００へ供給する電気信号を制御するネットワーク部品４００を保持する部品保持部２１６、を備えた板部２１１と、一端がネットワーク部品４００に接続され他端がスピーカユニット３００のボイスコイルに接続される第１の導電部材２３１と、を一体形成してスピーカ用フレーム２１０を形成している。このため、スピーカ保持部２１５に保持するスピーカユニット３００のボイスコイルと、部品保持部２１６に保持するネットワーク部品４００とを、一体に設けた第１の導電部材２３１に接続するのみで互いが接続される状態となり、組立作業性の向上が容易に図れる。
【００３７】
そして、スピーカ保持部２１５および部品保持部２１６を備えた板部２１１として、樹脂材料にて一体形成している。このため、スピーカユニット３００やネットワーク部品４００を保持するための構成の一体構成が例えば射出成形などにより容易に形成できるとともに、第１の導電部材２３１を一体形成、例えばインサート成形などにて容易に一体形成できる。さらに、樹脂材料として、絶縁性を有し比較的に硬質の樹脂材料を利用しているので、導電部材２３１〜２３３を一体形成しても短絡が生じることなく、いわゆるキャビネットのバッフル板やフレームとしても機能させることができる。
【００３８】
また、スピーカ用フレーム２１０として、一端がネットワーク部品４００に接続され他端が電気信号を供給する一対の電線の一方が接続される第２の導電部材２３２、および、一端がボイスコイルに接続され他端が電線の他方が接続される第３の導電部材２３３、をも一体形成している。このため、ボイスコイルの引出線と、ネットワーク部品４００の一対の端子を、第１の導電部材２３１、第２の導電部材２３２および第３の導電部材２３３に適宜接続することにより、スピーカユニット３００のボイスコイルとネットワーク部品４００との直列回路が構成され、組立作業性をより向上できる。
【００３９】
そして、これら第１の導電部材２３１、第２の導電部材２３２および第３の導電部材２３３をインサート成形により、スピーカ用フレーム２１０を一体成形している。このため、ボイスコイルの引出線と、ネットワーク部品４００の一対の端子を、インサート成形されて位置決めされた所定の位置に臨む第１の導電部材２３１、第２の導電部材２３２および第３の導電部材２３３に接続するのみでよく、より組立作業性を向上できるとともに、スピーカユニット３００およびネットワーク部品４００を保持する構成とともに電気的な接続のための構成を備えたスピーカ用フレーム２１０を容易に一体形成できる。
【００４０】
さらに、第１の導電部材２３１、第２の導電部材２３２および第３の導電部材２３３を、それぞれ金属板にて長手方向の両端部を略同方向にそれぞれ折曲して板部２１１の表面に臨む状態にインサート成形している。このため、ボイスコイルの引出線やネットワーク部品４００の端子が他の部位と短絡するなどの不都合を生じることなく、容易に接続できる。
【００４１】
特に、これら表面に臨む両端部として、第１の導電部材２３１、第２の導電部材２３２および第３の導電部材２３３がそれぞれ所定の位置となる状態にインサート成形している。すなわち、第１の導電部材２３１は、一端側の第１引出線接続部２３１Ｂがスピーカ保持部２１５の挿通孔２１５Ａに略対向するとともに、他端側の第１端子接続部２３１Ｃが隔壁部２１６Ｃの一面側における部品保持部２１６に向けて略面する状態にインサート成形している。また、第２の導電部材２３２は、一端側の第２端子接続部２３２Ｂが隔壁部２１６Ｃの他面側における部品保持部２１６に向けて面する状態で、他端側の第２電線接続部２３２Ｃが閉塞板２１７Ａに向けて略面する状態にインサート成形している。さらに、第３の導電部材２３３は、一端側の第３引出線接続部２３３Ｂが第１引出線接続部２３１Ｂに対してスピーカ保持部２１５の径方向で反対側に位置してスピーカ保持部２１５の挿通孔２１５Ａに略対向するとともに、第３電線接続部２３３Ｃが閉塞板２１７Ａに向けて略面する状態にインサート成形している。このため、スピーカ保持部２１５に保持されたスピーカユニット３００におけるボイスコイルの引出線、および部品保持部２１６に保持されたネットワーク部品４００の一対の端子が、近接する位置に接続箇所が位置することとなり、より組立製造性を容易に向上できる。
【００４２】
そして、スピーカ用フレーム２１０として、スピーカユニット３００を配設するスピーカ孔２１３を有し、このスピーカ孔２１３の開口縁に設けた取付段差部２１３Ａにスピーカユニット３００を構成する振動板３１０の取付鍔部３１２を取り付け、スピーカ保持部２１５に磁気回路部を配設してスピーカユニット３００を組み付け形成している。このため、スピーカ用フレーム２１０は、スピーカユニット３００が取り付けられるいわゆるキャビネットのバッフル板として機能するとともに、スピーカユニット３００のいわゆるフレームとしても機能することとなり、部品の共用による構成の簡略化ができる。
【００４３】
また、スピーカ用フレーム２１０として、板部２１１の裏面側にスピーカ保持部２１５、部品保持部２１６および各導電部材２３１〜２３３の両端部が臨む状態に一体形成している。このため、スピーカユニット３００の配設、ネットワーク部品４００の配設、ボイスコイルとネットワーク部品４００との接続などの作業が一面側のみででき、より組立作業性を向上できる。また、この板部２１１の裏面側を覆い体２２０にて覆って、例えば外部からの塵埃の侵入や外部との短絡などの外部との干渉を容易に防止できるとともに、スピーカ用フレーム２１０と覆い体２２０とによりスピーカキャビネット２００として構成されることとなり、上述したようにバッフル板を別途設ける必要がなく、構成の簡略化も容易に得られる。
【００４４】
〔実施の形態の変形〕
なお、本発明は、上述した実施の一形態に限定されるものではなく、本発明の目的を達成できる範囲で以下に示される変形をも含むものである。
【００４５】
すなわち、スピーカ用フレーム２１０として、導電部材２３１〜２３３をインサート成形して説明したが、例えば板部２１１に爪部などを設け、この爪部に導電部材２３１〜２３３を所定の位置となるように保持させたり、導電部材２３１などを接着剤にて取り付けたりして一体形成するなど、インサート成形に限らない。さらに、射出成形に限らず、いずれの方法で成形してもよい。また、樹脂材料にて形成する場合に限らず、例えばセラミックス材料や古紙、パルプ、コルクなどを用いて導電部材２３１をインサートするなどして一体成形してもよい。また、樹脂材料として、ゴムを利用してもよい。
【００４６】
そして、スピーカユニット３００を構成する振動板３１０をスピーカ用フレーム２１０に取り付け、スピーカ用フレーム２１０をフレームとしても機能させて説明したが、別体に組立形成したスピーカユニット３００をスピーカ用フレーム２１０のスピーカ保持部２１５に保持させるなどしてもよい。
【００４７】
また、ネットワーク部品４００としてコンデンサのような一対の端子を備えた構成を例示したが、上述したように、抵抗やコイルなどとしてもよい。さらには、端子が３つ以上あり、適宜接続する場合には、さらにそれら端子を接続するためのさらに他の導電部材を一体形成してもよい。また、第１の導電部材２３１のみをインサート成形し、第２の導電部材２３２や第３の導電部材２３３を用いずに電線となどと接続するなどしてもよい。
【００４８】
そして、覆い体２２０を設けた構成としたが、例えば覆い体２２０を用いず、他のスピーカユニットが配設されるキャビネットに取り付けるスピーカ装置として用いてもよい。
【００４９】
その他、本発明の実施の際の具体的な構造および手順は、本発明の目的を達成できる範囲で他の構造などに適宜変更できる。
【００５０】
〔実施の形態の効果〕
上述したように、振動板３１０を振動させるボイスコイルを備えたスピーカユニット３００を保持するスピーカ保持部２１５、および、スピーカユニット３００へ供給する電気信号を制御するネットワーク部品４００を保持する部品保持部２１６、を備えた板部２１１と、一端がネットワーク部品４００に接続され他端がスピーカユニット３００のボイスコイルに接続される第１の導電部材２３１と、を一体形成している。このため、スピーカ保持部２１５に保持するスピーカユニット３００と、部品保持部２１６に保持するネットワーク部品４００とを一体に設けた第１の導電部材２３１に接続するのみで互いが接続される状態が容易に得られ、組立作業性の向上を容易に得ることができる。
【図面の簡単な説明】
【００５１】
【図１】本発明における実施の一形態に係るスピーカ装置を示す分解斜視図である。
【図２】前記実施の一形態におけるスピーカ用フレームを示す一部を切り欠いた側面図である。
【図３】前記実施の一形態におけるスピーカ用フレームを示す斜視図である。
【図４】前記実施の一形態におけるスピーカ用フレームを示す底面図である。
【符号の説明】
【００５２】
１００……スピーカ装置
２００……スピーカキャビネット
２１０……スピーカ用フレーム
２２０……覆い体
２１３Ａ…開口縁を構成する取付段差部
２１５……スピーカ保持部
２１６……部品保持部
２３１……第１の導電部材
２３１Ｂ…両端部を構成する第１引出線接続部
２３１Ｃ…両端部を構成する第１端子接続部
２３２……第２の導電部材
２３２Ｂ…両端部を構成する第２端子接続部
２３２Ｃ…両端部を構成する第２電線接続部
２３３……第３の導電部材
２３３Ｂ…両端部を構成する第３引出線接続部
２３３Ｃ…両端部を構成する第３電線接続部
３００……スピーカユニット
４００……ネットワーク部品
【図１】
2007028009.tif 000003
【図２】
2007028009.tif 000004
【図３】
2007028009.tif 000005
【図４】
2007028009.tif 000006